(57)【要約】【課題】複数のフィルタとミラーとを備える場合に、装置全体が大型化するのを抑制することができるマンモグラフィ装置を提供する。【解決手段】マンモグラフィ装置１０は、放射線を撮影台１６に向けて照射する放射線源２９と、放射線源２９から照射された放射線の照射野１００外に設けられ、可視光を出射する可視光源３９と、撮影の種類に応じて選択的に用いられる複数のフィルタとしてＲｈフィルタ４２及びＡｌフィルタ４４を含む第１のフィルタ４０と、放射線源２９と撮影台１６との間に設けられ、造影撮影を行う場合に用いられるＣｕフィルタ５４を有し、可視光を撮影台１６に向けて反射し、かつ照射野１００の内側の位置と照射野１００の外側の位置との間で移動可能なミラー部５０と、を備える。【選択図】図４
2018157941.tif 000002
【特許請求の範囲】
【請求項１】
管電圧が印加されることにより発生した放射線を撮影台に向けて照射する放射線源と、
前記放射線源により照射された放射線の照射野外に設けられ、可視光を出射する可視光源と、
前記放射線源と前記撮影台との間に設けられ、第１の管電圧が前記放射線源に印加される場合に選択的に用いられる複数のフィルタを含む第１のフィルタと、
前記放射線源と前記撮影台との間に設けられ、前記第１の管電圧と異なる第２の管電圧が前記放射線源に印加される場合に用いられる第２のフィルタを有し、前記可視光を前記撮影台に向けて反射し、かつ前記照射野の内側の位置と前記照射野の外側の位置との間で移動可能なミラー部と、
を備えたマンモグラフィ装置。
【請求項２】
前記第２の管電圧は、造影撮影の場合に用いる管電圧である、
請求項１に記載のマンモグラフィ装置。
【請求項３】
前記第２の管電圧は、前記第１の管電圧よりも高い管電圧である、
請求項１または請求項２に記載のマンモグラフィ装置。
【請求項４】
放射線を撮影台に向けて照射する放射線源と、
前記放射線源から照射された放射線の照射野外に設けられ、可視光を出射する可視光源と、
撮影の種類に応じて選択的に用いられる複数のフィルタを含む第１のフィルタと、
前記放射線源と前記撮影台との間に設けられ、造影撮影を行う場合に用いられる第２のフィルタを有し、前記可視光を前記撮影台に向けて反射し、かつ前記照射野の内側の位置と前記照射野の外側の位置との間で移動可能なミラー部と、
を備えたマンモグラフィ装置。
【請求項５】
前記第１のフィルタと、前記第２のフィルタとは、透過する放射線の吸収率、減衰率、及び吸収する放射線のエネルギ成分の少なくとも１つが異なる、
請求項１から請求項４のいずれか１項に記載のマンモグラフィ装置。
【請求項６】
前記ミラー部は、前記放射線源の側に前記第２のフィルタが配置され、前記撮影台の側に前記可視光源から前記可視光が照射される、
請求項１から請求項５のいずれか１項に記載のマンモグラフィ装置。
【請求項７】
前記複数のフィルタは、トモシンセシス撮影に用いられるフィルタを含む、
請求項１から請求項６のいずれか１項に記載のマンモグラフィ装置。
【請求項８】
前記複数のフィルタから選択されたフィルタを前記照射野の内側の位置と前記照射野の外側の位置との間で移動させる第１移動部をさらに備えた、
請求項１から請求項７のいずれか１項に記載のマンモグラフィ装置。
【請求項９】
前記第２のフィルタは、銅製のフィルタである、
請求項１から請求項８のいずれか１項に記載のマンモグラフィ装置。
【請求項１０】
前記ミラー部を前記照射野の内側の位置と前記照射野の外側の位置との間で移動させる第２移動部をさらに備えた、
請求項１から請求項９のいずれか１項に記載のマンモグラフィ装置。
【請求項１１】
前記第２移動部は、前記放射線源が放射線を非照射している状態では、前記ミラー部の位置を前記照射野の内側の位置とさせ、前記放射線源が放射線を照射し、かつ前記第１のフィルタが用いられる状態では、前記ミラー部の位置を前記照射野の外側の位置とさせる、
請求項１０に記載のマンモグラフィ装置。
【請求項１２】
前記第２移動部は、前記放射線源が放射線を非照射している状態では、前記ミラー部の位置を前記照射野の内側の位置とさせ、前記放射線源が放射線を照射し、かつ前記第２のフィルタが用いられる状態では、前記ミラー部の位置を前記照射野の内側の位置とさせる、
請求項１０または請求項１１に記載のマンモグラフィ装置。
【発明の詳細な説明】
【技術分野】
【０００１】
本発明は、マンモグラフィ装置に関する。
【背景技術】
【０００２】
放射線源から被検者の乳房に向けて放射線を照射させ、乳房を透過した放射線を放射線検出器により検出することにより放射線画像を撮影するマンモグラフィ装置が知られている。一般的に、マンモグラフィ装置の放射線源から出射された放射線は、フィルタを介して、被検者の乳房に照射される。また、一般的に、マンモグラフィ装置では、放射線の照射範囲（照射野）を、放射線の替わりに可視光を用いて示すために、可視光を照射する可視光源と、可視光源から出射された可視光を撮影台に向けて反射するミラーとを備えたものが知られている。
【０００３】
例えば、特許文献１には、２種類のフィルタと、ミラーと、を備えたマンモグラフィ装置が記載されている。
【先行技術文献】
【特許文献】
【０００４】
【特許文献１】実公平３−１９８４３号公報
【発明の概要】
【発明が解決しようとする課題】
【０００５】
しかしながら、特許文献１に記載の技術では、さらに複数のフィルタを備えようとした場合、装置全体が大型化してしまう場合がある。
【０００６】
本開示は、上記事情を考慮して成されたもので、複数のフィルタとミラーとを備える場合に、装置全体が大型化するのを抑制することができるマンモグラフィ装置を提供することを目的とする。
【課題を解決するための手段】
【０００７】
上記目的を達成するために本開示のマンモグラフィ装置は、管電圧が印加されることにより発生した放射線を撮影台に向けて照射する放射線源と、放射線源により照射された放射線の照射野外に設けられ、可視光を出射する可視光源と、放射線源と撮影台との間に設けられ、第１の管電圧が放射線源に印加される場合に選択的に用いられる複数のフィルタを含む第１のフィルタと、放射線源と撮影台との間に設けられ、第１の管電圧と異なる第２の管電圧が放射線源に印加される場合に用いられる第２のフィルタを有し、可視光を撮影台に向けて反射し、かつ照射野の内側の位置と照射野の外側の位置との間で移動可能なミラー部と、を備える。
【０００８】
本開示のマンモグラフィ装置の第２の管電圧は、造影撮影の場合に用いる管電圧であってもよい。
【０００９】
本開示のマンモグラフィ装置の第２の管電圧は、第１の管電圧よりも高い管電圧であってもよい。
【００１０】
また、上記目的を達成するために本開示のマンモグラフィ装置は、放射線を撮影台に向けて照射する放射線源と、放射線源から照射された放射線の照射野外に設けられ、可視光を出射する可視光源と、撮影の種類に応じて選択的に用いられる複数のフィルタを含む第１のフィルタと、放射線源と撮影台との間に設けられ、造影撮影を行う場合に用いられる第２のフィルタを有し、可視光を撮影台に向けて反射し、かつ照射野の内側の位置と照射野の外側の位置との間で移動可能なミラー部と、を備える。
【００１１】
本開示のマンモグラフィ装置は、第１のフィルタと、第２のフィルタとは、透過する放射線の吸収率、減衰率、及び吸収する放射線のエネルギ成分の少なくとも１つが異なっていてもよい。
【００１２】
本開示のマンモグラフィ装置のミラー部は、放射線源の側に第２のフィルタが配置され、撮影台の側に可視光源から可視光が照射されてもよい。
【００１３】
本開示のマンモグラフィ装置の複数のフィルタは、トモシンセシス撮影に用いられるフィルタを含んでもよい。
【００１４】
本開示のマンモグラフィ装置は、複数のフィルタから選択されたフィルタを照射野の内側の位置と照射野の外側の位置との間で移動させる第１移動部をさらに備えてもよい。
【００１５】
本開示のマンモグラフィ装置の第２のフィルタは、銅製のフィルタであってもよい。
【００１６】
本開示のマンモグラフィ装置は、ミラー部を照射野の内側の位置と照射野の外側の位置との間で移動させる第２移動部をさらに備えてもよい。
【００１７】
本開示のマンモグラフィ装置の第２移動部は、放射線源が放射線を非照射している状態では、ミラー部の位置を照射野の内側の位置とさせ、放射線源が放射線を照射し、かつ第１のフィルタが用いられる状態では、ミラー部の位置を照射野の外側の位置とさせてもよい。
【００１８】
本開示のマンモグラフィ装置の第２移動部は、放射線源が放射線を非照射している状態では、ミラー部の位置を照射野の内側の位置とさせ、放射線源が放射線を照射し、かつ第２のフィルタが用いられる状態では、ミラー部の位置を照射野の内側の位置とさせてもよい。
【発明の効果】
【００１９】
本開示によれば、複数のフィルタとミラーとを備える場合に、装置全体が大型化するのを抑制することができる。
【図面の簡単な説明】
【００２０】
【図１】第１実施形態のマンモグラフィ装置の全体構成の一例を被検者の胸壁側から見た斜視図である。
【図２】第１実施形態のマンモグラフィ装置におけるトモシンセシス撮影を説明するための図である。
【図３】第１実施形態のマンモグラフィ装置における放射線照射部の内部の構成の一例を示す斜視図である。
【図４】第１実施形態のマンモグラフィ装置における放射線照射部の内部の構成の一例を装置の右側からみた断面図である。
【図５】図３及び図４に示した移動部、第１のフィルタ、及びミラー部を、放射線源側（上側）から平面視した場合を模式的に示す模式図である。
【図６】第１実施形態の放射線画像撮影システムの構成の一例を表したブロック図である。
【図７】第１実施形態のマンモグラフィ装置で実行される撮影処理の一例を表すフローチャートである。
【図８】第１のフィルタ及びミラー部の初期位置及びトモシンセシス撮影における配置の一例を示す模式図である。
【図９】第１のフィルタ及びミラー部の照射野の確認における配置の一例を示す模式図である。
【図１０】第１のフィルタ及びミラー部の造影撮影における配置の一例を示す模式図である。
【図１１】第１のフィルタ及びミラー部の通常撮影おける配置の一例を示す模式図である。
【図１２】第２実施形態のマンモグラフィ装置で実行される撮影処理の一例を表すフローチャートである。
【発明を実施するための形態】
【００２１】
以下、図面を参照して本発明の実施形態を詳細に説明する。なお、本実施形態は本発明を限定するものではない。
【００２２】
［第１実施の形態］
まず、図１を参照して本実施形態のマンモグラフィ装置の全体の構成の一例について説明する。
【００２３】
本実施形態のマンモグラフィ装置１０は、被検者の左右の乳房に個別に放射線（例えば、Ｘ線）を照射して左右の乳房の放射線画像を個別に撮影する装置である。なお、マンモグラフィ装置１０は、被検者が起立している状態（立位状態）のみならず、被検者が椅子（車椅子を含む）等に座った状態（座位状態）において、被検者の乳房を撮影する装置であってもよく、少なくとも被検者の乳房が左右別個に撮影可能な装置であればよい。
【００２４】
また、本実施形態のマンモグラフィ装置１０は、いわゆるトモシンセシス撮影（詳細後述）と、被検者の乳房に造影剤を投与した状態で撮影を行ういわゆる造影撮影と、通常の撮影と、３種類の撮影を行う機能を有している。なお、本実施形態では、被検者の乳房に造影剤を投与した状態で行う撮影を「造影撮影」といい、造影撮影及びトモシンセシス撮影のいずれでもない撮影を「通常撮影」といい、造影撮影以外の撮影（トモシンセシス撮影及び通常撮影）を総称して「単純撮影」という。
【００２５】
また、以下では、放射線画像の撮影においてマンモグラフィ装置１０に被検者が対面した場合の被検者に近い側（胸壁側）をマンモグラフィ装置１０の装置前方側とし、マンモグラフィ装置１０に被検者が対面した場合の被検者から離れた側をマンモグラフィ装置１０の装置後方側として説明する。また、マンモグラフィ装置１０に被検者が対面した場合の被検者の左右方向をマンモグラフィ装置１０の装置左右方向として説明する。さらに、マンモグラフィ装置１０に被検者が対面した場合の被検者の頭の方向を上側かつ足の方向を下側とした上下方向として説明する。
【００２６】
マンモグラフィ装置１０は、図１に示すように、装置前方側に設けられた側面視略Ｃ字状の撮影部１２と、撮影部１２を装置後方側から支える基台部１４と、を備える。
【００２７】
撮影部１２は、立位状態にある被検者の乳房と接する平面状の撮影面２４を有する撮影台１６と、乳房を撮影台１６の撮影面２４との間に挟んで圧迫するための圧迫板２０と、撮影台１６及び圧迫板２０を支持する保持部１８と、を備える。なお、圧迫板２０には、放射線を透過する部材が用いられる。
【００２８】
また、撮影部１２は、乳房に対して放射線を照射する管球（本実施形態では一例としてタングステン）を備えた放射線源２９が内部に設けられた放射線照射部２８と、保持部１８とは分離され、放射線源２９を支持する支持部２２と、を備えている。
【００２９】
また、撮影部１２には軸（図示省略）が設けられており、撮影部１２が基台部１４に対して回転することが可能である。この軸は、支持部２２に対して固定されており、軸と支持部２２とが一体となって回転する。
【００３０】
撮影部１２に設けられた軸及び保持部１８にそれぞれギヤが設けられ、このギヤ同士の噛合状態及び非噛合状態を切替えることにより、保持部１８と軸とが連結されて一体に回転する状態と、軸が保持部１８と分離されて空転する状態とに切り替えることができる。なお、軸の動力の伝達及び非伝達の切り替えは、上記ギヤに限らず、種々の機械要素を用いることができる。
【００３１】
保持部１８は、撮影面２４と放射線源２９とを所定間隔離して撮影台１６と放射線源２９とを支持する。また、保持部１８は、支持アーム２６を介して圧迫板２０も保持しており、保持部１８が支持アーム２６をスライド移動することにより圧迫板２０が移動し、圧迫板２０と撮影面２４との間隔が変化する。
【００３２】
被検者の乳房が接する撮影面２４は、放射線透過性や強度の観点から、例えば、カーボンで形成されている。撮影台１６の内部には、乳房及び撮影面２４を通過した放射線を検出する放射線検出器１１が配置されている。放射線検出器１１が検出した放射線に基づいて放射線画像が生成される。本実施形態の放射線検出器１１の種類は、特に限定されず、例えば、放射線を光に変換し、変換した光を電荷に変換する間接変換方式の放射線検出器であってもよいし、放射線を直接電荷に変換する直接変換方式の放射線検出器であってもよい。本実施形態では、マンモグラフィ装置１０の放射線検出器１１から出力された放射線画像を表す画像データは、コンソール６（図６参照）に送信される。
【００３３】
本実施形態のマンモグラフィ装置１０は、図２に示すように、放射線の入射角度を所定範囲内で異ならせて放射線源２９から放射線を照射し、異なる入射角度毎の撮影（いわゆるトモシンセシス撮影）を行うことができる。ここで、「入射角度」とは、放射線検出器１１の検出面１１Ａの法線ＣＬと放射線軸ＲＣとがなす角度をいう。従って、法線ＣＬと放射線軸ＲＣとが同一の場合、入射角度が０度となる。また、ここでは、放射線検出器１１の検出面１１Ａは、撮影面２４に略平行な面とする。
【００３４】
なお、本実施形態では、図２に示すように、放射線の入射角度が、角度αから所定角度θずつ変化させるために放射線源２９の位置を移動させて、放射線源２９を複数箇所の撮影位置の各々に位置させる毎に撮影が行われる。
【００３５】
本実施形態のマンモグラフィ装置１０では、放射線の入射角度が０度の場合以外は、放射線源２９を連続的に移動させながら各撮影位置での撮影を行う。放射線源２９を連続的に移動させる場合の撮影方法としては、例えば、放射線源２９を停止することなく連続的に移動させながら、放射線源２９が各撮影位置に達した場合に、放射線源２９が乳房に対して放射線を出射し、この出射のタイミングに同期して放射線検出器１１により撮影すればよい。
【００３６】
次に、本実施形態のマンモグラフィ装置１０における放射線照射部２８について説明する。本実施形態のマンモグラフィ装置１０の放射線照射部２８の内部には、図３及び図４に示すように、放射線源２９と、可視光源３９と、第１のフィルタ４０と、ミラー部５０と、第１のフィルタ４０及びミラー部５０を移動させる移動部３０と、が設けられている。図５には、図３及び図４に示した移動部３０、第１のフィルタ４０、及びミラー部５０を、放射線源２９側（上側）から平面視した場合の模式図を示す。
【００３７】
図３及び図４に示すように、第１のフィルタ４０及びミラー部５０は、放射線源２９と撮影台１６との間に、第１のフィルタ４０が放射線源２９に近い側、ミラー部５０が撮影台１６に近い側として、放射線源２９から照射された放射線が透過する方向（上下方向）に並んで設けられている。
【００３８】
また、図３〜図５に示すように、本実施形態の移動部３０は、第１のフィルタ４０を装置左右方向に移動させるための歯車であるギヤ４８及び歯車であるギヤ４９と、ミラー部５０を装置左右方向に移動させるための歯車であるギヤ５８及び歯車であるギヤ５９と、を備えている。
【００３９】
図３及び図５に示すように、第１のフィルタ４０は、装置左右方向に並んだＲｈ（ロジウム）フィルタ４２及びＡｌ（アルミニウム）フィルタ４４を備えている。本実施形態の第１のフィルタ４０では、一例として、図３及び図５に示すようにＲｈフィルタ４２及びＡｌフィルタ４４を枠４１にネジ（図示省略）等によって固定することにより、装置左右方向の左側にＲｈフィルタ４２が配置され、右側にＡｌフィルタ４４が配置された状態としている。
【００４０】
Ｒｈフィルタ４２は、通常撮影を行う場合に用いられるフィルタである。一般的に、マンモグラフィ装置１０による撮影では、１５ｋｅＶ〜２０ｋｅＶのエネルギ成分の放射線により、撮影された放射線画像のコントラストを明確にすることができる。上記範囲より低いエネルギ成分（エネルギ成分が１５ｋｅｖ未満）の放射線では、被検者（乳房）の被曝が生じるものの、放射線画像にはほとんど寄与しない。一方、上記範囲より高いエネルギ成分（エネルギ成分が２０ｋｅＶを越える）の放射線では、被検者（乳房）を透過する透過率が高いため、撮影された放射線画像のコントラストが低下し、画質の低下を招く場合がある。Ｒｈフィルタ４２は、ｋ吸収端が２３．２ｋｅＶであるため、２３．２ｋｅＶ以上のエネルギ成分の放射線を抑制することができ、また、厚さに依存して、厚さが増すほど低エネルギ成分の放射線を抑制することができる。従って、マンモグラフィ装置１０における通常撮影では、Ｒｈフィルタ４２を用いることにより、被写体に照射される放射線のスペクトラムを、所望の範囲（１５ｋｅＶ〜２０ｋｅＶ）のエネルギ領域としている。このようにマンモグラフィ装置１０における通常撮影においてＲｈフィルタ４２を用いることにより、放射線画像の画質の低下を抑制するとともに、被検者の被曝量を抑制することができる。
【００４１】
一方、Ａｌフィルタ４４は、Ｒｈフィルタ４２に比べて放射線の減衰率が低いため、放射線源２９を連続的に移動させながら各撮影位置での撮影時間（放射線の照射時間）が短い撮影を行うトモシンセシス撮影に適している。
【００４２】
図３及び図５に示すように、軸線方向が装置左右方向に沿って両端部が放射線照射部２８の筐体に支持されているシャフト４６が、Ｒｈフィルタ４２及びＡｌフィルタ４４が配置された枠４１を保持する保持部材４７を貫通している。保持部材４７の装置後方側にはギヤが設けられており、歯車であるギヤ４８とかみ合っている。ギヤ４８は、歯車であるギヤ４９とかみ合っている。本実施形態では、ギヤ４９を回転させることにより、ギヤ４８を回転させる。ギヤ４８の回転に応じて保持部材４７に保持された第１のフィルタ４０を、シャフト４６に沿って、左右方向に移動させることにより、第１のフィルタ４０を、放射線の照射野１００の内側と、外側との間で移動させる。
【００４３】
また、本実施形態のミラー部５０は、図３〜５に示すように、放射線が透過する方向（上下方向）に沿って並んだ、Ｃｕ（銅）フィルタ５４及びミラー５２を備えている。ミラー５２は、放射線の照射野１００の外側に設けられた可視光源３９から出射された可視光を、撮影台１６の撮影面２４に向けて反射することにより、可視光により、撮影面２４での放射線の照射野１００（照射領域）を示唆する。一方、ミラー５２（ミラー部５０）は、放射線源２９から照射された放射線を透過させる。
【００４４】
Ｃｕフィルタ５４は、一例として、図３〜図５に示すようにミラー５２の裏面（放射線源２９側の面）に、ネジ（図示省略）等によって着脱可能に取り付けられている。なお、本実施形態のＣｕフィルタ５４が、本開示の第２のフィルタの一例である。
【００４５】
Ｃｕフィルタ５４は、造影撮影を行う場合に用いられるフィルタである。造影撮影に用いられる造影剤として、ｋ吸収端が３２ｋｅＶのヨード造影剤が一般的に用いられる。この場合の造影撮影では、ヨード造影剤のｋ吸収端よりも低いエネルギ成分の放射線を照射させた撮影と、ヨード造影剤のｋ吸収端よりも高いエネルギ成分の放射線を照射させた撮影と２回の撮影を行い、得られた２つの放射線画像の画像データの差分から、造影剤の濃度分布を計算し、造影剤を画像化する。そのため、造影撮影では、３２ｋｅＶのエネルギ成分を有する放射線により撮影を行うことが好ましい。Ｃｕフィルタ５４を用いることにより、被検者に照射される放射線の線質を好ましいエネルギ成分を有する状態とすることができる。また、Ｃｕフィルタ５４を用いることにより、３２ｋｅＶ以下の放射線を低減することができるため、被検者の被曝量を抑制することができる。
【００４６】
図３及び図５に示すように、軸線方向が装置左右方向に沿って両端部が放射線照射部２８の筐体に支持されているシャフト５６が、ミラー５２を保持する保持部材５７を貫通している。保持部材５７の装置後方側にはギヤが設けられており、歯車であるギヤ５８とかみ合っている。ギヤ５８は、歯車であるギヤ５９とかみ合っている。本実施形態では、ギヤ５９を回転させることにより、ギヤ５８を回転させる。ギヤ５８の回転に応じて保持部材５７に保持されたミラー部５０を、シャフト５６に沿って、左右方向に移動させることにより、ミラー部５０を、第１のフィルタ４０とは独立して、放射線の照射野の内側と、外側との間で移動させる。
【００４７】
次に、本実施形態のマンモグラフィ装置１０を備えた放射線画像撮影システム１の構成について説明する。本実施形態の放射線画像撮影システム１は、コンソール６を介して外部のシステム（例えば、ＲＩＳ：Radiology Information System）から入力された指示（撮影メニュー）に基づいて、医師や放射線技師等のユーザの操作により放射線画像の撮影を行う機能を有するものである。なお、本実施形態では、放射線画像撮影システム１（マンモグラフィ装置１０）により撮影を行う技師や医師等を「ユーザ」という。
【００４８】
図６には、本実施形態の放射線画像撮影システム１の構成の一例を表すブロック図を示す。図６に示すように本実施形態の放射線画像撮影システム１は、マンモグラフィ装置１０及びコンソール６を備える。
【００４９】
コンソール６は、無線通信ＬＡＮ（Local Area Network）等を介して外部システム等から取得した撮影メニューや、その他の各種情報等を用いて、マンモグラフィ装置１０の制御を行う。
【００５０】
本実施形態のコンソール６は、一例として、サーバーコンピュータである。図６に示すように、コンソール６は、制御部７０、記憶部７２、Ｉ／Ｆ（InterFace)部７４、表示部駆動部７６、表示部７８、操作入力検出部８０、及び操作部８２を備えている。制御部７０、記憶部７２、Ｉ／Ｆ部７４、表示部駆動部８６、及び操作入力検出部８０はシステムバスやコントロールバス等のバス８３を介して相互に各種情報の授受が可能に接続されている。
【００５１】
本実施形態の制御部７０は、コンソール６の全体の動作を制御する。本実施形態の制御部７０は、ＣＰＵ（Central Processing Unit）７０Ａ、ＲＯＭ（Read Only Memory）７０Ｂ、及びＲＡＭ（Random Access Memory）７０Ｃを備える。ＲＯＭ７０Ｂには、ＣＰＵ７０Ａで実行される各種の処理プログラム等が予め記憶されている。ＲＡＭ７０Ｃは、各種データを一時的に記憶する。
【００５２】
記憶部７２には、マンモグラフィ装置１０で撮影された放射線画像の画像データや、その他の各種情報等が記憶される。記憶部７２の具体例としては、ＨＤＤ（Hard Disk Drive）やＳＳＤ（Solid State Drive）等が挙げられる。
【００５３】
Ｉ／Ｆ部７４は、無線通信または有線通信により、マンモグラフィ装置１０やＲＩＳ等の外部のシステムとの間で各種情報の通信を行う。
【００５４】
表示部７８は、各種情報を表示する。表示部駆動部７６は、表示部７８への各種情報の表示を制御する。
【００５５】
操作部８２は、放射線の曝射指示を含む放射線画像の撮影等に関する指示や各種情報等をユーザが入力するために用いられる。
【００５６】
操作部８２は特に限定されるものではなく、例えば、各種スイッチ、タッチパネル、タッチペン、及びマウス等が挙げられる。なお、操作部８２と表示部７８とを一体化してタッチパネルディスプレイとしてもよい。操作入力検出部８０は、操作部８２に対する操作状態を検出する。
【００５７】
一方、図６に示すように、本実施形態のマンモグラフィ装置１０は、放射線検出器１１、放射線照射部２８、制御部６０、記憶部６２、Ｉ／Ｆ部６４、操作パネル６６、及び線源駆動部６８を備える。
【００５８】
放射線検出器１１、放射線照射部２８、制御部６０、記憶部６２、Ｉ／Ｆ部６４、操作パネル６６、及び線源駆動部６８は、システムバスやコントロールバス等のバス６９を介して相互に各種情報の授受が可能に接続されている。
【００５９】
本実施形態の制御部６０は、マンモグラフィ装置１０の全体の動作を制御する。また、本実施形態の制御部６０は、放射線画像の撮影を行う場合に、放射線検出器１１及び放射線照射部２８を制御する。本実施形態の制御部６０は、ＣＰＵ６０Ａ、ＲＯＭ６０Ｂ、及びＲＡＭ６０Ｃを備える。ＲＯＭ６０Ｂには、ＣＰＵ６０Ａで実行される、後述する撮影処理プログラムを含む各種のプログラム等が予め記憶されている。ＲＡＭ６０Ｃは、各種データを一時的に記憶する。
【００６０】
なお、本実施形態では、マンモグラフィ装置１０の制御部６０及びコンソール６の制御部７０に格納される各種プログラムは、予め制御部６０及び制御部７０のＲＯＭ（６０Ｂ、７０Ｂ）に格納されているがこれに限らない。各種プログラムは、例えば、プログラムをＣＤ−ＲＯＭ（Compact Disk Read Only Memory）やリムーバブルディスク等の記録媒体に記憶しておき、この記録媒体からＲＯＭ（６０Ｂ、７０Ｂ）等にインストールしてもよい。また、インターネット等の通信回線を介して外部装置からＲＯＭ（６０Ｂ、７０Ｂ）等にインストールしてもよい。
【００６１】
図６に示すように、また、上述したように、放射線照射部２８は、放射線源２９、移動部３０、可視光源３９、第１のフィルタ４０、及びミラー部５０を備える。放射線源２９、移動部３０、及び可視光源３９は、バス６９を介して制御部６０に接続されている。これにより、制御部６０によって、放射線源２９からの放射線の出射（非照射）及び非出射（非照射）が制御され、可視光源３９の点灯及び消灯が制御される。また、制御部６０が移動部３０を制御することにより、上述したように第１のフィルタ４０とミラー部５０とが独立して、装置左右方向に移動する。
【００６２】
記憶部６２には、放射線検出器１１により撮影された放射線画像の画像データや、その他の各種情報等が記憶される。記憶部６２の具体例としては、ＨＤＤやＳＳＤ等が挙げられる。
【００６３】
Ｉ／Ｆ部６４は、無線通信または有線通信により、コンソール６との間で各種情報の通信を行う。
【００６４】
線源駆動部６８は、上述した撮影部１２に設けられた軸（図示省略）を回転させることにより、放射線照射部２８の放射線源２９のを連続的に移動させ、放射線の入射角度を変化させる。
【００６５】
操作パネル６６は、例えば、マンモグラフィ装置１０の撮影台１６に複数のスイッチとして設けられている。なお、操作パネル６６は、タッチパネルとして設けられてもよい。
【００６６】
次に、本実施形態のマンモグラフィ装置１０の作用について、図面を参照して説明する。
【００６７】
放射線画像撮影システム１では、被検者の乳房の撮影を行う場合、ユーザは、まず、マンモグラフィ装置１０の撮影台１６の撮影面２４上に被検者の乳房をポジショニングし、圧迫板２０により、乳房を撮影台１６と圧迫板２０との間で圧迫することにより固定する。
【００６８】
ユーザがコンソール６の操作部８２から放射線画像の撮影の開始を指示すると、Ｉ／Ｆ部７４を介してマンモグラフィ装置１０に撮影の開始指示及び撮影メニューが送信される。マンモグラフィ装置１０では、コンソール６から放射線画像の撮影の開始指示及び撮影メニューを受信した場合に、撮影処理を実行する。図７には、本実施形態のマンモグラフィ装置１０の制御部６０によって実行される撮影処理の流れの一例を表したフローチャートが示されている。本実施形態のマンモグラフィ装置１０では、制御部６０のＣＰＵ６０ＡがＲＯＭ６０Ｂに記憶されている撮影処理プログラムを実行することにより、図７に示した撮影処理を実行する。
【００６９】
ステップＳ１００で制御部６０は、移動部３０により、ミラー部５０を、照射野１００の外側の位置である初期位置から、照射野１００内の所定の位置に移動させる。本実施形態のマンモグラフィ装置１０では、放射線源２９から放射線を照射する前に、まず、可視光源３９から出射された可視光により、照射野１００の確認をユーザが行う。そのため、まず、ステップＳ１００で、制御部６０は、ミラー部５０のミラー５２を、照射野１００を示唆するための所定の位置に設定する。
【００７０】
なお、本実施形態では、図７に示した撮影処理が実行された当初は、第１のフィルタ４０及びミラー部５０は、初期位置に位置している。図８には、第１のフィルタ４０及びミラー部５０の初期位置の一例を模式的に示す。図８に示すように、本実施形態のマンモグラフィ装置１０では、第１のフィルタ４０を装置方向左側とし、また、ミラー部５０を装置方向右側として第１のフィルタ４０及びミラー部５０が装置左右方向に重なり合わせずに並んだ状態を初期位置としている。
【００７１】
一方、照射野１００の確認を行う場合、図９に模式的に示したように、ミラー部５０（ミラー５２）は、照射野１００の内側の位置に配置される。具体的には、可視光源３９が出射した可視光をミラー５２により反射することにより撮影面２４における可視光の照射野が、撮影面２４に照射される放射線の照射野１００と同等となる位置にミラー部５０が配置される。
【００７２】
次のステップＳ１０２で制御部６０は、可視光源３９を点灯させる。これにより、撮影面２４には、ミラー部５０のミラー５２によって反射された可視光により、放射線の照射野１００が示唆される。
【００７３】
次のステップＳ１０４で制御部６０は、ユーザによる照射野１００の確認が終了したか否かを判定する。本実施形態のマンモグラフィ装置１０では、照射野１００の確認が終了した場合、その旨をユーザがマンモグラフィ装置１０の操作パネル６６により指示する。そこで、制御部６０は、操作パネル６６から照射野１００の確認が終了した旨を指示されたか否かにより、照射野１００の確認が終了したか否かを判定する。
【００７４】
照射野１００の確認が終了していない場合は、ステップＳ１０４が否定判定となり、本ステップを繰り返す。一方、照射野１００の確認が終了した場合は、ステップＳ１０４が肯定判定となり、ステップＳ１０６へ移行する。
【００７５】
ステップＳ１０６で制御部６０は、可視光源３９を消灯させる。
【００７６】
そして、次のステップＳ１０８で制御部６０は、造影撮影を行うか否かを判定する。なお、制御部６０が造影撮影を行うか否かを判定する方法は、特に限定されない。例えば、コンソール６から受信した撮影メニューに、撮影の種類を表す情報が含まれている場合は、撮影の種類を表す情報に基づいて、造影撮影を行うか否かを判定してもよい。また例えば、上述したように造影撮影を行う場合、単純撮影の場合に比べて、放射線源２９から被検者に照射される放射線のエネルギ成分を高くする。そのため、放射線源２９に印加される管電圧は、単純撮影の場合に比べて高い。そこで、制御部６０は、撮影メニューに含まれる管電圧が、造影撮影用の管電圧であるか否かにより、造影撮影用を行うか否かを判定してもよい。また、例えば、ユーザがマンモグラフィ装置１０の操作パネル６６やコンソール６の操作部８２により、造影撮影である旨を指示した場合、制御部６０は、ユーザの指示に応じて、造影撮影を行うか否かを判定してもよい。
【００７７】
造影撮影を行う場合、ステップＳ１０８の判定が肯定判定となり、ステップＳ１１０へ移行する。ステップＳ１１０で制御部６０は、造影撮影を実行する。本ステップにおいて行われる造影撮影の方法は、特に限定されず、一般的な造影撮影の方法で行えばよい。
【００７８】
なお、本実施形態のマンモグラフィ装置１０では、上述したように、造影撮影を行う場合、Ｃｕフィルタ５４を用いて撮影を行う。そのため、図１０に模式的に示したように、Ｃｕフィルタ５４が照射野１００の内側の位置に配置される。具体的には、Ｃｕフィルタ５４全体で照射野１００を覆う状態の位置にＣｕフィルタ５４が配置される。なお、本実施形態のマンモグラフィ装置１０では、図１０に示すように、造影撮影を行う場合、Ｃｕフィルタ５４に加えて、Ａｌフィルタ４４も用いているが、本実施形態と異なり、Ａｌフィルタ４４を用いずに造影撮影を行ってもよい。
【００７９】
図１０に示すように、造影撮影を行う場合の第１のフィルタ４０及びミラー部５０の位置と、照射野１００の確認を行う場合の第１のフィルタ４０及びミラー部５０の位置（図９参照）は同じである。そのため、本実施形態のように照射野１００の確認後、続けて造影撮影を行う場合は、第１のフィルタ４０及びミラー部５０の移動は行われない。
【００８０】
ステップＳ１１０の造影撮影が終了すると、撮影された放射線画像が、マンモグラフィ装置１０からコンソール６に出力される。
【００８１】
次のステップＳ１１４で制御部６０は、移動部３０によりミラー部５０を初期位置（図８参照）に移動させた後、本撮影処理を終了する。
【００８２】
一方、ステップＳ１０８で否定判定となった場合（造影撮影ではないと判定された場合）、ステップＳ１１６へ移行する。
【００８３】
ステップＳ１１６で制御部６０は、移動部３０によりミラー部５０を照射野１００の外側に移動させる。本実施形態では、一例として、制御部６０は、ミラー部５０を初期位置（図８参照）に移動させる。
【００８４】
次のステップＳ１１８で制御部６０は、トモシンセシス撮影を行うか否かを判定する。なお、制御部６０がトモシンセシス撮影を行うか否かを判定する方法は、特に限定されない。例えば、コンソール６から受信した撮影メニューに、撮影の種類を表す情報が含まれている場合は、撮影の種類を表す情報に基づいて、トモシンセシス撮影を行うか否かを判定してもよい。また例えば、上述したようにトモシンセシス撮影を行う場合、放射線源２９を移動させながら複数回撮影を行うため、撮影メニューに含まれる放射線源２９の移動の指示や撮影回数の移動の指示等を表す情報に基づいて、トモシンセシス撮影を行うか否かを判定してもよい。
【００８５】
トモシンセシス撮影を行う場合、ステップＳ１１８の判定が肯定判定となり、ステップＳ１２０へ移行する。ステップＳ１２０で制御部６０は、トモシンセシス撮影を実行する。本ステップにおいて行われるトモシンセシス撮影の方法は、特に限定されず、一般的なトモシンセシス撮影の方法で行えばよい。
【００８６】
なお、本実施形態のマンモグラフィ装置１０では、上述したように、トモシンセシス撮影を行う場合、Ａｌフィルタ４４を用いて撮影を行う。そのため、Ａｌフィルタ４４が照射野１００の内側の位置に配置される。具体的には、Ａｌフィルタ４４全体で照射野１００を覆う状態の位置にＡｌフィルタ４４が配置される。すなわち、本実施形態のマンモグラフィ装置１０では、トモシンセシス撮影の場合、図８に模式的に示した初期位置と同様に、第１のフィルタ４０及びミラー部５０を配置する。なお、ステップＳ１２０を実行したタイミングでは、第１のフィルタ４０及びミラー部５０は初期位置に位置している。
【００８７】
ステップＳ１２０のトモシンセシス撮影が終了すると、撮影された放射線画像が、マンモグラフィ装置１０からコンソール６に出力される。上述したように、トモシンセシス撮影の場合、第１のフィルタ４０及びミラー部５０が初期位置に配置されているため、ステップＳ１２０が終了すると、制御部６０は、本撮影処理を終了する。
【００８８】
一方、トモシンセシス撮影を行う場合や通常撮影である場合、上記ステップＳ１１８が否定判定となり、ステップＳ１２２へ移行する。
【００８９】
ステップＳ１２２で制御部６０は、移動部３０により第１のフィルタ４０を照射野１００の内側の位置まで移動させる。本実施形態のマンモグラフィ装置１０では、上述したように、通常撮影を行う場合、Ｒｈフィルタ４２を用いて撮影を行う。そのため、図１１に模式的に示したように、Ｒｈフィルタ４２が照射野１００の内側の位置に配置される。具体的には、Ｒｈフィルタ４２全体で照射野１００を覆う状態の位置にＲｈフィルタ４２を配置するために、制御部６０が第１のフィルタ４０を移動させる。
【００９０】
次のステップＳ１２４で制御部６０は、通常撮影を実行する。本ステップにおいて行われる通常撮影の方法は、特に限定されず、撮影メニューに応じて、一般的な通常影撮影の方法で行えばよい。通常撮影が終了すると、撮影された放射線画像が、マンモグラフィ装置１０からコンソール６に出力される。
【００９１】
次のステップＳ１２６で制御部６０は、移動部３０により第１のフィルタ４０を初期位置（図８参照）に移動させた後、本撮影処理を終了する。
【００９２】
このように、本実施形態のマンモグラフィ装置１０は、放射線を撮影台１６に向けて照射する放射線源２９と、放射線源２９から照射された放射線の照射野１００外に設けられ、可視光を出射する可視光源３９と、撮影の種類に応じて選択的に用いられる複数のフィルタとしてＲｈフィルタ４２及びＡｌフィルタ４４を含む第１のフィルタ４０と、放射線源２９と撮影台１６との間に設けられ、造影撮影を行う場合に用いられるＣｕフィルタ５４を有し、可視光を撮影台１６に向けて反射し、かつ照射野１００の内側の位置と照射野１００の外側の位置との間で移動可能なミラー部５０と、を備える。
【００９３】
［第２実施形態］
上述したように、撮影の種類等に応じて管電圧は異なり、ミラー部５０が有するＣｕフィルタ５４が、Ｒｈフィルタ４２及びＡｌフィルタ４４と比べて、放射線源２９に印加する管電圧が高い場合に用いられる。例えば、上述したように、造影撮影を行う場合に放射線源２９に印加する管電圧は、単純撮影を行う場合に放射線源２９に印加する管電圧よりも高い。そこで、本実施形態のマンモグラフィ装置１０では、放射線源２９に印加する管電圧に応じて、撮影に用いるフィルタ（Ｒｈフィルタ４２、Ａｌフィルタ４４、及びＣｕフィルタ５４）を配置する。
【００９４】
マンモグラフィ装置１０の構成は、第１実施形態と同様であるため、説明を省略する。本実施形態では、マンモグラフィ装置１０の制御部６０が実行する撮影処理の一部の処理が第１実施形態における撮影処理（図７参照）と異なるため、異なる処理について説明する。
【００９５】
図１２には、本実施形態のマンモグラフィ装置１０の制御部６０によって実行される撮影処理の流れの一例を表したフローチャートが示されている。図１２に示した撮影処理は、第１実施形態の撮影処理（図７参照）のステップＳ１０８の処理に替わり、ステップＳ１０９の処理を実行する点が異なっている。
【００９６】
ステップＳ１０９で制御部６０は、放射線画像の撮影において、放射線源２９に印加する管電圧が第１の管電圧であるか否かを判定する。なお、第１の管電圧を印加するか否かについて制御部６０が判定する方法は、特に限定されない。例えば、予め、第１のフィルタ４０を適用する撮影における管電圧を第１の管電圧として定めておき、コンソール６から受信した撮影メニューに、管電圧を表す情報が含まれている場合は、管電圧を表す情報に基づいて、第１の管電圧を印加するか否かを判定してもよい。なお、第１の管電圧とは、特定の管電圧（例えば、２０ｋＶｐ）のみに対応するものでなくてよい。例えば、Ｒｈフィルタ４２を適用する撮影における管電圧と、Ａｌフィルタ４４を適用する撮影における管電圧と、を含んでいてもよい。
【００９７】
また例えば、上述したように単純撮影を行う場合、造影撮影の場合に比べて、放射線源２９に印加する管電圧が低い。そのため、制御部６０は、造影撮影用の管電圧よりも低い管電圧または、造影撮影用の管電圧ではない場合を第１の管電圧とみなすことにより、第１の管電圧であるか否かを判定してもよい。
【００９８】
放射線源２９に印加する管電圧が第１の管電圧ではない場合、すなわち第２の管電圧である場合、ステップＳ１０９が否定判定となり、ステップＳ１１０へ移行し、制御部６０は放射線源２９に第２の管電圧を印加させ、造影撮影を実行する。
【００９９】
一方、放射線源２９に印加する管電圧が第１の管電圧である場合、ステップＳ１０９が肯定判定となり、ステップＳ１１６へ移行する。この場合、後のステップＳ１２０で制御部６０は、放射線源２９に第１の管電圧を印加させ、トモシンセシス撮影を実行する。また、後のステップＳ１２４で制御部６０は、放射線源２９に第１の管電圧を印加させ、通常撮影を実行する。
【０１００】
このように、本実施形態のマンモグラフィ装置１０では、管電圧が印加されることにより発生した放射線を撮影台１６に向けて照射する放射線源２９と、放射線源２９により照射された放射線の照射野１００外に設けられ、可視光を出射する可視光源３９と、放射線源２９と撮影台１６との間に設けられ、第１の管電圧が放射線源２９に印加される場合に選択的に用いられる複数のフィルタとしてＲｈフィルタ４２及びＡｌフィルタ４４を含む第１のフィルタ４０と、放射線源２９と撮影台１６との間に設けられ、第１の管電圧と異なる第２の管電圧が放射線源２９に印加される場合に用いられるＣｕフィルタ５４を有し、可視光を撮影台１６に向けて反射し、かつ照射野１００の内側の位置と照射野１００の外側の位置との間で移動可能なミラー部５０と、を備える。
【０１０１】
以上説明したように、上記各実施形態のマンモグラフィ装置１０によれば、ミラー部５０が、ミラー５２及びＣｕフィルタ５４を有するため、ミラー５２とＣｕフィルタ５４とを別個に設けた場合に比べて、マンモグラフィ装置１０全体が大型化するのを抑制することができる。
【０１０２】
造影撮影を行うためのフィルタ（Ｃｕフィルタ５４）を有していないマンモグラフィ装置における可視光を反射させて照射野１００を示唆するためのミラー５２に、Ｃｕフィルタ５４を取り付ければ、造影撮影に対応可能となるため、造影撮影の機能を有さない既存のマンモグラフィ装置に、造影撮影の機能を容易に追加することができ、また、コストを抑制することができる。
【０１０３】
なお、上記各実施形態では、ミラー５２に、Ｃｕフィルタ５４を取り付けた形態について説明したが、これに限定されない。例えば、マンモグラフィ装置１０が既に、造影機能を有している場合等、Ｃｕフィルタ５４を有している一方、ミラー５２を有していない場合は、既存のＣｕフィルタ５４にミラー５２をネジ等を用いて固定することにより取り付けてもよいし、Ｃｕフィルタ５４の裏面（撮影面２４側の面）にＡｌ膜を蒸着する等して、ミラー５２としての機能を持たせる等の形態としてもよい。
【０１０４】
また、上記各実施形態のマンモグラフィ装置１０では、第１のフィルタ４０が有するフィルタとしてＲｈフィルタ４２及びＡｌフィルタ４４、ミラー部５０が有するフィルタとしてＣｕフィルタ５４を備える形態について説明したが、マンモグラフィ装置１０が備えるフィルタは特に限定されない。マンモグラフィ装置１０が備える、これらのフィルタは、透過する放射線の吸収率、減衰率、及び吸収する放射線のエネルギ成分の少なくとも１つが異なっていればよい。例えば、Ａｇ（銀）フィルタや、Ｍｏ（モリブデン）フィルタ等であってもよく、放射線源２９の管球等に応じた種々のものでもよい。
【０１０５】
また、上記各実施形態では、第１のフィルタ４０をマンモグラフィ装置１０の装置方向左側とし、また、ミラー部５０を装置方向右側として第１のフィルタ４０及びミラー部５０が装置左右方向に重なり合わせずに並んだ状態を初期位置とした形態（図８参照）について説明したが、第１のフィルタ４０及びミラー部５０の初期位置は特に限定されるものではない。例えば、上述したように、第１のフィルタ４０をマンモグラフィ装置１０の装置方向左側とし、また、ミラー部５０（ミラー５２）を、照射野１００の内側の位置に並んだ状態（図９または図１０参照）を初期位置としてもよい。この場合、上述した撮影処理（図７及び図１２）のステップＳ１００を省略することができる。またこの場合の造影撮影（ステップＳ１１０）では、撮影処理において第１のフィルタ４０及びミラー部５０を移動させなくてよい。一方この場合のトモシンセシス撮影（ステップＳ１２０）及び通常撮影（ステップＳ１２４）では、各々撮影後にミラー部５０も初期位置に移動させてから、撮影処理を終了する。
【０１０６】
なお、上記各実施形態における放射線は、特に限定されるものではなく、Ｘ線やγ線等を適用することができる。
【０１０７】
その他、上記各実施形態で説明した放射線画像撮影システム１、コンソール６、及びマンモグラフィ装置１０等の構成及び動作等は一例であり、本発明の主旨を逸脱しない範囲内において状況に応じて変更可能であることはいうまでもない。
【符号の説明】
【０１０８】
１  放射線画像撮影システム
６  コンソール
１０  マンモグラフィ装置
１１  放射線検出器、１１Ａ  検出面
１２  撮影部
１４  基台部
１６  撮影台
１８  操作部
２０  圧迫板
２２  支持部
２４  撮影面
２６  支持アーム
２８  放射線照射部
２９  放射線源
３０  移動部
３９  可視光源
４０  第１のフィルタ
４１  枠
４２  Ｒｈフィルタ
４４  Ａｌフィルタ
４６  シャフト
４７  保持部材
４８、４９、５８、５９  ギヤ
５０  ミラー部
５２  ミラー
５４  Ｃｕフィルタ
５６  シャフト
５７  保持部材
６０、７０  制御部
６０Ａ、７０Ａ  ＣＰＵ
６０Ｂ、７０Ｂ  ＲＯＭ
６０Ｃ、７０Ｃ  ＲＡＭ
６２、７２  記憶部
６４、７４  Ｉ／Ｆ部
６６  操作パネル
６８  線源駆動部
６９、８３  バス
７６  表示部駆動部
７８  表示部
８０  操作入力検出部
８２  操作部
１００  照射野
ＣＬ  法線
ＲＣ  放射線軸
α  角度
【図１】
2018157941.tif 000003
【図２】
2018157941.tif 000004
【図３】
2018157941.tif 000005
【図４】
2018157941.tif 000006
【図５】
2018157941.tif 000007
【図６】
2018157941.tif 000008
【図７】
2018157941.tif 000009
【図８】
2018157941.tif 000010
【図９】
2018157941.tif 000011
【図１０】
2018157941.tif 000012
【図１１】
2018157941.tif 000013
【図１２】
2018157941.tif 000014